(57)【要約】【課題】  グリップ部を電池室と外装カバーで構成する撮像装置において、撮像装置を小型化する構成を提供する。【解決手段】  グリップ部を電池室と外装カバーで構成する撮像装置において、前記電池室は少なくとも電池の位置規制部を２ヵ所有し、前記外装カバーは前記外装カバーの一部を切り欠いた孔部を有し、前記孔部に前記電池室の壁面を露出し、前記外装カバーと略同一面になるように構成した。【選択図】  図３
2013120198.tif 000002
【特許請求の範囲】
【請求項１】
グリップ部（４）を電池室（７）と外装カバー（１１）で構成する撮像装置において、
前記電池室は少なくとも二つの電池の位置規制部（７１）を有し、
前記電池室は前記電池の位置規制部の下端位置を繋ぐ壁面（７２）を有し、
前記外装カバーは前記外装カバーの撮影光軸側を切り欠いた孔部（１１１）を有し、
前記孔部に前記壁面の一部が露出し、前記外装カバーと同一面になるように構成したことを特徴とする撮像装置。
【請求項２】
前記電池室と前記外装カバーを固定する止めビス位置（７５）は前記壁面近傍であることを特徴とする請求項１に記載の撮像装置。
【発明の詳細な説明】
【技術分野】
【０００１】
本発明は、デジタルカメラ等の撮像装置に関し、特に撮像装置の小型化に関するものである。
【背景技術】
【０００２】
従来、グリップ部に電池室を有するカメラでは、電池室を外装カバーで囲う構成をしていたため、グリップ部は電池室と外装カバーの二重の厚さとなっており、グリップ部が大きくなっていた。このとき、グリップ部が大きいまま、カメラを小さくしようとしても、カメラのグリップ部を把持した際に、把持した指がレンズ鏡筒と当たることがあるため、カメラを大きくせざるを得なかった。
【０００３】
また、電池室の一部を外装カバーで構成するようにすると、電池を挿入する際のガイドとなるガイドレールが電池室と外装カバーに分かれてしまい、電池を収納した際に安定しないことがあった。
【０００４】
例えば、特許文献１では電池室の壁の一部切り欠いてあり、本体シャーシよりも厚さの薄いサブシャーシと記録媒体用スロットを実装するフレキシブルプリント基板の一部が電池室の切り欠いた壁とサブシャーシとの間に挿入されるものが開示されている。
【先行技術文献】
【特許文献】
【０００５】
【特許文献１】特開２０１１−４１１１８号公報
【発明の概要】
【発明が解決しようとする課題】
【０００６】
しかしながら、上述の特許文献に開示された従来技術では、電池室の壁の一部を切り欠き、壁の一部をフレキシブル基板にすることでカメラの奥行方向の小型化にはなるが、横方法の小型化にならなかった。また、ガイドレールとの関係は記載されていない。
【０００７】
そこで、本発明の目的は、カメラの横方向の小型化がすることを可能にした電池室と外装カバーで構成したグリップを提供することである。
【課題を解決するための手段】
【０００８】
上記目的を達成するために、本発明は、グリップ部を電池室と外装カバーで構成する撮像装置において、前記電池室は少なくとも電池の位置規制部を２ヵ所有し、前記外装カバーは前記外装カバーの一部を切り欠いた孔部を有し、前記孔部に前記電池室の一部を露出し、前記外装カバーと略同一面になるように構成したことを特徴とする。
【発明の効果】
【０００９】
本発明によれば、グリップ部を電池室と外装カバーで構成する撮像装置において、グリップ部を小型化でき、撮像装置を把持した際に指とレンズ鏡筒が当たりにくくなるため、撮像装置を小型化することが可能となる。
【００１０】
また、撮像装置の電池室に少なくとも電池のガイドレールを２本有するため、電池室内に電池を安定して保持することが可能となる。
【図面の簡単な説明】
【００１１】
【図１】本発明の実施形態を示したデジタルカメラの斜視図である。
【図２】本発明の実施形態を示したデジタルカメラと電池の斜視図である。
【図３】本発明の実施形態を示した前カバーの取り付け構成の分解斜視図である。
【図４】本発明の実施形態を示した要部分解斜視図である。
【図５】本発明の実施形態を示した要部断面図である。
【図６】本発明の実施形態を示した要部分解斜視図である。
【図７】本発明の実施形態を示したデジタルカメラの底面から見た図である。
【発明を実施するための形態】
【００１２】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１３】
［実施例］
図１から図７を用いて、本発明の撮像装置の一実施形態であるデジタルカメラを説明する。
【００１４】
図１（ａ）は本実施例のデジタルカメラを前方（被写体側）から見た斜視図である。図１（ｂ）は本実施例のデジタルカメラの表示装置を開いた状態を後方（撮影者側）から見た斜視図である。
【００１５】
図１（ａ）と図１（ｂ）において、１はデジタルカメラ本体であり、２は撮影画像等を確認可能な表示装置ユニットである。表示装置ユニット２は、例えば３．０インチ程度のＴＦＴ液晶パネルなどから構成されている。ここで、表示装置ユニット２は、撮影時ビューファインダーとしても利用可能となっている。３はヒンジ機構であり、表示装置ユニット２はヒンジ機構３により回転し、デジタルカメラ本体１に対して開閉可能に結合されている。ヒンジ機構３の第１の回転中心軸Ａにより回転し、表示装置ユニット２が開いている状態で、さらにヒンジ機構３の第２の回転中心軸Ｂにより回転をさせることで、撮影者はより自由なアングルにて撮影を行うことができる。４はグリップ部であり、撮影時等にデジタルカメラ本体１を保持する際に把持する場所である。５はデジタルカメラ本体１にレンズ鏡筒を交換可能に取り付ける際のレンズマウント部である。
【００１６】
図２（ａ）は本実施例の電池蓋を開けた状態のデジタルカメラを底面方向から見た斜視図である。図２（ｂ）は図２（ａ）において電池挿抜時を前方（被写体側）底面方向から見た斜視図である。図２（ｃ）は図２（ａ）において電池挿抜時を後方（撮影者側）底面方向から見た斜視図である。
【００１７】
図２（ａ）から図２（ｃ）において、６は電池パックであり、円筒型の充電池が２本内包されている。７は電池室であり、デジタルカメラ本体１のグリップ部４に設けられており、電池パック６を収納する場所である。８は電池蓋であり、デジタルカメラ本体１に開閉可能に結合されており、電池パック６の挿抜時に開閉する。電池パック６には電池室７に挿入時のガイド溝部６１と逆差し防止のガイド溝端６２が構成してあり、電池室７には電池パック６のガイド部６１に対応したガイドレール７１が構成してある。電池パック６のガイド溝部６１が電池室７のガイドレール７１に係合することで、電池６はデジタルカメラ本体１内に安定して収納される。
【００１８】
図３（ａ）と図３（ｂ）は、デジタルカメラ１の分解斜視図である。
【００１９】
図３（ａ）と図３（ｂ）において、９はカメラ本体ユニットであり、電池室７の一部を構成するとともにグリップ部４の一部も構成する。電池室７は樹脂で成型されている。ここで、カメラ本体ユニット９には前記ガイドレール７１が２本設けられている。ガイドレール７１の詳細については後述する。１０は前カバーユニットであり、外装カバーである前カバー１１とその他釦等で構成されている。前カバー１１は電池室７の一部を構成するとともにグリップ部４の一部も構成する。前カバー１１は樹脂で成型されている。ここで、前カバー１１には、孔部１１１が設けてられていて、その孔部１１１からカメラ本体ユニット９の一部が露出し、後述する外装ラバーの受け面を構成している。前カバー１１はビス１２によってデジタルカメラ本体１に取り付けられる。１３は外装ラバーであり、外装ラバー１３は弾力性のあるエラストマー部材で成形されており、デジタルカメラ本体１と一体的に意匠性を高めつつ、撮影時の滑り止めの役割を持つ。前記孔部１１１から露出したカメラ本体ユニット９の一部は外装ラバー１３によって覆い隠される。
【００２０】
以下、本発明の構成要素について更に詳しく説明する。
【００２１】
図４（ａ）は、カメラ本体ユニット９の要部分解斜視図である。図４（ｂ）は、カメラ本体ユニット９の底面方向から見た斜視図である。
【００２２】
図４（ａ）と図４（ｂ）において、カメラ本体ユニット９には電池室７が設けられている。電池室７には前述したようにガイドレール７１が２本設けられている。また、カメラ本体ユニット９は、電池室７の小型化のためにレンズマウント５側の壁面７２と壁面７３を残して切り欠かれており、孔部７４が設けられている。ここで、壁面７２はガイドレール７１の下端に位置しており、また壁面７３はガイドレール７１の上端に位置している。ガイドレール７１は電池のガイド溝端６２の位置まで設けられている。１４は金属の板バネで構成された接片であり、前記孔部７４にビス１５によって壁面７２、７３とほぼ同面に取り付けられる。したがって、電池室７は大きくなることはなく小型化が達成できる。
【００２３】
ここで、壁面７２があることで、電池室７は静圧等に対して安定した形状を保つことができる。ガイドレール７１は電池６の挿抜方向において、壁面７２とほぼ同じ位置まで設けているので、電池パック６の位置を下端側で安定的に規制できる。また、７５はカメラ本体ユニット９に前カバーユニット１０を固定するビス１２に対するビス取付部の一つである。ビス取付部７５は、壁面７２とほぼ同じ位置に存在し、カメラ本体ユニット９に前カバーユニット１０を固定することで、電池室７をさらに補強することができる。
【００２４】
図５（ａ）は、図４（ａ）において、電池室７をＣＣで切断した断面図である。図５（ｂ）は図４（ａ）において、電池室７をＤＤで切断した断面図である。
【００２５】
図５（ａ）と図５（ｂ）に示したように、ガイドレール７１は壁面７２とほぼ同じ位置まで設けることが分かる。また、このガイドレール７１が、電池６のガイド部６１に係合することで、デジタルカメラ本体１の前後左右に動くことなく保持される。
【００２６】
図６（ａ）は、カメラ本体ユニット９と前カバーユニット１０のグリップ側方向から見た要部分解斜視図である。図６（ｂ）はカメラ本体ユニット９と前カバーユニット１０のグリップ側とは反対方向から見た要部分解斜視図である。
【００２７】
図６（ａ）と図６（ｂ）において、前述したように前カバー１１には、孔部１１１が設けてられていて、その孔部１１１に電池室７の補強のための壁面７３の一部が嵌まり込み、前カバー１１から露出しており、壁面７２の一部は外装ラバーの受け面を構成している。１１２は前カバー１１に構成された壁面であり、電池室７の小型化のために切り欠かれた孔部７４を塞ぐためのものである。
【００２８】
以上のことより、カメラ本体ユニット９と前カバーユニット１０は、お互いに電池室７およびグリップ部４の一部を構成しており、グリップ部４を小型化できている。
【００２９】
図７は、本実施例のデジタルカメラを底面から見た図である。
【００３０】
図７に示したように、グリップ部４を小型化できると、グリップ部４とレンズマウント部５の間の距離Ｅを大きくできるため、同じ横幅のカメラを把持した際に指とレンズ鏡筒が当たりにくくなるため、カメラのホールド性を向上させることができる。
【００３１】
以上、本発明の好ましい実施形態について説明したが、本発明はこれらの実施形態に限定されず、その要旨の範囲内で種々の変形及び変更が可能である。
【符号の説明】
【００３２】
１  デジタルカメラ本体
２  表示装置ユニット
３  ヒンジ機構
４  グリップ部
５  レンズマウント部
６  電池パック
７  電池室
８  電池蓋
９  カメラ本体ユニット
１０  前カバーユニット
１１  前カバー
１３  外装ラバー
１４  接片
【図１】
2013120198.tif 000003
【図２】
2013120198.tif 000004
【図３】
2013120198.tif 000005
【図４】
2013120198.tif 000006
【図５】
2013120198.tif 000007
【図６】
2013120198.tif 000008
【図７】
2013120198.tif 000009